(57)【要約】      （修正有）【課題】念珠専用袋を別途に購入する必要のない念珠販売セットを提供する。【解決手段】念珠販売セット１０は、念珠１２と、この念珠１２を着脱可能に取り付ける台紙１４と、念珠１２を収容することができる念珠袋１６と、念珠１２と台紙１４と念珠袋１６を収容する販売用袋１８と、から構成されている。前記台紙１４は折り線３０で正面台紙部３２と背面台紙部３４に区画され、正面台紙部３２と背面台紙部３４との間には念珠１２を収容可能な前記念珠袋１６が配設されている。念珠袋１６は台紙３０の正面台紙部３２と背面台紙部３４の間に配設されている。前記念珠袋１６には念珠袋開口部が形成されている。前記販売用袋１８は透明なフィルムシート体で形成され、販売用袋１８には開閉可能な販売用袋開口部４０が形成されている。【選択図】図１
0003193990.tif 000002
【実用新案登録請求の範囲】
【請求項１】
念珠と、この念珠が着脱可能に取り付けられる台紙と、前記念珠を収容できる念珠袋と、前記念珠と前記台紙と前記念珠袋を収容する販売用袋と、とを有してなることを特徴とする念珠販売セット。
【請求項２】
念珠と、この念珠が着脱可能に取り付けられる台紙と、前記念珠を収容できる念珠袋と、前記念珠と前記台紙と前記念珠袋を収容する販売用袋と、とから構成された念珠販売セットであって、複数の念珠玉を環状に連続して形成された前記念珠と、折り線を介して正面台紙部と背面台紙部が形成された前記台紙と、前記正面台紙部と前記背面台紙部との間に配設されると共に念珠袋開口部が形成された前記念珠袋と、透明なシート体で形成されると共に販売用袋開口部が形成された前記販売用袋と、を有してなることを特徴とする念珠販売セット。
【請求項３】
念珠と、この念珠が着脱可能に取り付けられる台紙と、前記念珠を収容できる念珠袋と、前記念珠と前記台紙と前記念珠袋を収容する販売用袋と、とから構成された念珠販売セットであって、複数の念珠玉を環状に連続して形成された前記念珠と、折り線を介して正面台紙部と背面台紙部が形成された前記台紙と、正面側に前記念珠袋が付されていることが記載された前記正面台紙部と、前記背面台紙部との間に配設されると共に念珠袋開口部が形成された前記念珠袋と、透明なシート体で形成されると共に販売用袋開口部が形成された前記販売用袋と、を有してなることを特徴とする念珠販売セット。
【考案の詳細な説明】
【技術分野】
【０００１】
本考案は、仏教の祭祀等において参列者が使用する念珠に関し、詳しくは念珠が販売される場合に適用される念珠販売セットに関する。
【背景技術】
【０００２】
通夜、告別式、法事等の仏教の祭祀において多くの参列者は念珠を携帯して、祭祀に参列している（特許文献１）。
この念珠は、仏具店は勿論のこと、スーパーマーケット等の店舗においても販売されているが、通常、念珠は単独で販売されている。
このため、通夜、告別式、法事等の仏教の祭祀に参列する場合に購入した念珠を露出した状態でポケットやバッグに入れて携帯すると念珠に傷が付いたり、念珠が汚れたりしてしまう場合がある。
そこで、念珠に傷が付いたり、汚れたりするのを防止すべく布や皮革で形成された専用の念珠専用袋が販売されている。
しかし、念珠専用袋は前記念珠と別途に販売されているため、念珠と別途に購入する必要があり、経済的な負担がかかるという不具合がある。
また、スーパーマーケット等の店舗では一般的に念珠専用袋は販売されていないので、念珠専用袋を購入するためにわざわざ仏具店に行かなければならず、煩雑であると共に手間がかかるという不具合がある。
【先行技術文献】
【特許文献】
【０００３】
【特許文献１】実用新案登録第３１８１０７２号
【考案の概要】
【考案が解決しようとする課題】
【０００４】
本考案は、上記事実に鑑みなされたものであり、念珠専用袋を別途に購入する必要のない念珠販売セットを提供するものである。
【課題を解決するための手段】
【０００５】
請求項１の考案は、念珠と、この念珠が着脱可能に取り付けられる台紙と、前記念珠を収容できる念珠袋と、前記念珠と前記台紙と前記念珠袋を収容する販売用袋と、とを有してなることを特徴としている。
請求項２の考案は、念珠と、この念珠が着脱可能に取り付けられる台紙と、前記念珠を収容できる念珠袋と、前記念珠と前記台紙と前記念珠袋を収容する販売用袋と、とから構成された念珠販売セットであって、複数の念珠玉を環状に連続して形成された前記念珠と、折り線を介して正面台紙部と背面台紙部が形成された前記台紙と、前記正面台紙部と前記背面台紙部との間に配設されると共に念珠袋開口部が形成された前記念珠袋と、透明なシート体で形成されると共に販売用袋開口部が形成された前記販売用袋と、を有してなることを特徴としている。
請求項３の考案は、念珠と、この念珠が着脱可能に取り付けられる台紙と、前記念珠を収容できる念珠袋と、前記念珠と前記台紙と前記念珠袋を収容する販売用袋と、とから構成された念珠販売セットであって、複数の念珠玉を環状に連続して形成された前記念珠と、折り線を介して正面台紙部と背面台紙部が形成された前記台紙と、正面側に前記念珠袋が付されていることが記載された前記正面台紙部と、前記背面台紙部との間に配設されると共に念珠袋開口部が形成された前記念珠袋と、透明なシート体で形成されると共に販売用袋開口部が形成された前記販売用袋と、を有してなることを特徴としている。
【考案の効果】
【０００６】
本考案の念珠販売セットは、念珠と念珠袋がセットになって販売されるので、別途に念珠専用袋を購入する必要性がなく、経済的であると共に念珠専用袋を購入する手間と労力を省くことができるという優れた効果を有する。
本考案の念珠販売セットは、購入した念珠を念珠袋に入れて携帯、保管することができるので携帯時や保管時に念珠に傷が付いたり、念珠が汚れたりするのを防止することができるという優れた効果を有する。
請求項３の本考案は、上記優れた効果の他に、念珠販売セットに念珠袋がセットになって販売されていることを一目見て分かるという優れた効果を有する。
【図面の簡単な説明】
【０００７】
【図１】実施例の念珠販売セットの正面図である。
【図２】実施例の念珠販売セットの販売用袋から念珠、台紙、念珠袋を取り出した状態図である。
【考案を実施するための形態】
【０００８】
考案を実施するために最良の形態の例として以下のような実施例を示す。
【実施例１】
【０００９】
図１及び図２には本考案に係る念珠販売セットの一実施例が示されている。
図１及び図２に示されるように、実施例の念珠販売セット１０は念珠１２と、この念珠１２を着脱可能に取り付ける台紙１４と、念珠１２を収容することができる念珠袋１６と、念珠１２と台紙１４と念珠袋１６を収容する販売用袋１８と、から構成されている。
【００１０】
図２に示されるように、前記念珠１２は天然石で形成された複数の念珠玉２０を図示しない紐で環状に連続して取り付けて形成された念珠本体２２と、この念珠本体２２にボサ２４を介して取り付けられた房２６から構成されている。
【００１１】
図１に示されるように、前記念珠１２は前記台紙１４に着脱可能に取り付けられている。また、前記念珠１２は念珠本体２２を環状にすると共に念珠本体２２の内側に房２６を配設したで状態で台紙１４に取り付けられている。
【００１２】
図２に示されるように、前記台紙１４は矩形状の厚紙で形成され、折り線３０で正面台紙部３２と背面台紙部３４とに区画されている。また、正面台紙部３２の正面側には「念珠」、「天然石使用」、「念珠袋付」の文字が印刷されている。
これにより、購入者は念珠１２の念珠玉２０の材質や念珠袋１６が収容されていることを一目見て分かるようになっている。
【００１３】
図１に示されるように、前記正面台紙部３２には細い針金で形成された係止具３６を介して前記念珠１２が取り付けられている。
また、前記正面台紙部３２と前記背面台紙部３４との間には念珠１２を収容可能な前記念珠袋１６が配設されている。この念珠袋１６は耐久性を有するが感触が柔らかい合成樹脂製シートで形成されている。
前記念珠袋１６は前記正面台紙部３２と前記背面台紙部３４の間に配設されている。
【００１４】
図２に示されるように、前記念珠袋１６の上端には念珠袋開口部３８が形成されており、念珠袋開口部３８を介して前記念珠１２を念珠袋１６内に出し入れできるようになっている。また、この念珠袋開口部３８は背面に位置する念珠袋開口部蓋３９によって閉じられるようになっている。
【００１５】
前記販売用袋１８は矩形状に形成されている。実施例の販売用袋１８は合成樹脂材で製造された薄く形成された透明なフィルムシート体で形成されている。
従って、販売用袋１８の外から販売用袋１８に収容された前記念珠１２と前記台紙１４と前記念珠袋１６が見えるようになっている。
【００１６】
前記販売用袋１８には開閉可能な販売用袋開口部４０が形成されており、販売用袋開口部４０を介して前記念珠１２と前記台紙１４と前記念珠袋１６を販売用袋１８内に出し入れできるようになっている。
【００１７】
次に、実施例の念珠販売セット１０の作用について説明する。
【００１８】
図１に示されるように、念珠販売セット１０は販売用袋１８内に念珠１２と台紙１４と念珠袋１６が収容された状態で販売されている。
【００１９】
従って、念珠販売セット１０を購入すれば念珠袋１６もセットで購入でき、購入した念珠１２を直ぐに念珠袋１６に収容することにより念珠１２を念珠袋１６に収容した状態で携帯、保管することができる。
【００２０】
このため、通夜や告別式等に参列するために念珠販売セット１０を購入すれば念珠１２をポケットやバッグに露出した状態で携帯しなくてもよいので、念珠１２に傷が付いたり、汚れたりすることを防止できる。
【００２１】
また、前記念珠１２を使用しない場合は、念珠１２を念珠袋１６に収容して保管することができるので、念珠１２が汚れたりするのを防止できる。
【００２２】
しかも、念珠専用袋を別途に購入する必要がないので、経済的負担を軽減することができる。
また、従来のように念珠専用袋を購入するためにわざわざ仏具店等に行く必要がないので、煩雑でなく手間がかかることもない。
【００２３】
なお、図１に示されるように念珠販売セット１０は念珠本体２２を環状にすると共に念珠本体２２の内側に房２６が配設された状態で陳列されている。
従って、消費者は念珠販売セット１０を一目見ただけで念珠１２の大きさや房２６の色が分かるため、自分に合った念珠１２を迅速に購入することができ、便利である。
【００２４】
また、正面台紙部３２の正面側には「念珠」、「天然石使用」、「念珠袋付」の文字が印刷されているため、消費者は念珠１２の念珠玉２０材質や念珠袋１６が収容されていることを一目で知ることができる。
【００２５】
特に本考案の念珠販売セット１０は、通夜や告別式等に急に参列する事態が生じた場合に便利である。
【００２６】
なお、実施例では念珠本体２２にボサ２４を介して取り付けた房２６を有する念珠１２を示したが、念珠１２の構成は実施例の念珠１２の構成に限定されるものでないことは勿論である。
【符号の説明】
【００２７】
１０    念珠販売セット
１２    念珠
１４    台紙
１６    念珠袋
１８    販売用袋
２０    念珠玉
２２    念珠本体
２４    ボサ
２６    房
３０    折り線
３２    正面台紙部
３４    背面台紙部
３６    係止具
３８    念珠袋開口部
３９    念珠袋開口部蓋
４０    販売用袋開口部
【図１】
0003193990.tif 000003
【図２】
0003193990.tif 000004